(57)【要約】【課題】少量噴霧するだけで多種類の臭気成分を効率的に除去する消臭機能水を提供すること。導入設備や維持管理費用などに関しても低コストで取り組みやすい。また、装置及び操作は簡単であり、場所に応じた対策も容易に図ることができる。【解決手段】遠赤外線等の微弱エネルギーの特性・作用を有し、転写可能な一次機能水を、水に転写することを特徴とする。一次機能水の原料液はミネラル含有液である。【選択図】　なし【特許請求の範囲】
【請求項１】
遠赤外線等の微弱エネルギーの特性・作用を有し、転写可能な一次機能水を、水に転写することを特徴とする消臭機能水の製造方法。
【請求項２】
一次機能水の原料液はミネラル含有液であることを特徴とする請求項１記載の消臭機能水の製造方法。
【請求項３】
上記ミネラル含有液は、風化珊瑚礁抽出液であることを特徴とする請求項１ないし２記載のいずれか１項記載の消臭機能水の製造方法。
【請求項４】
上記ミネラル含有液は珪素が含有されていることを特徴とする請求項１ないし３記載の消臭機能水の製造方法。
【請求項５】
光触媒の存在のもと、抽出液に光触媒溶液を加え、紫外線を照射することを特徴とする請求項１ないし４のいずれか１項記載の消臭機能水の製造方法。
【請求項６】
前記光触媒は酸化チタンであることを特徴とする請求項１ないし５記載のいずれか１項記載の遠赤外線放射波動水の製造方法。
【請求項７】
前記光触媒はアナターゼ型酸化チタンであることを特徴とする請求項１ないし６記載のいずれか１項記載の遠赤外線放射波動水の製造方法。
【請求項８】
低周波をかけながら攪拌することを特徴とする請求項１ないし７のいずれか１項記載の消臭機能水の製造方法。
【請求項９】
紫外線照射後に赤外線を照射することを特徴とする請求項１ないし８のいずれか１項記載の消臭機能水の製造方法。
【請求項１０】
転写媒体となる材料と一次機能水及び光触媒溶液を混練焼成することにより転写部材を製造することを特徴とする請求項１ないし９のいずれか１項記載の消臭機能水の製造方法。
【請求項１１】
水に該転写部材を浸漬させて熟成することにより、該水に一次機能水の機能を転写することを特徴とする請求項１ないし１０記載のいずれか１項記載の消臭機能水の製造方法。
【請求項１２】
請求項１ないし１１のいずれか１項記載の製造方法により製造されたことを特徴とする消臭機能水。
【発明の詳細な説明】
【０００１】
【発明の属する技術分野】
本発明は、機能水に係り、より詳細には消臭作用を持つ消臭機能水の製造方法及び消臭機能に関するものである。
【０００２】
【従来の技術】
消臭方法として化学的、物理的、マスキング、微生物脱臭法などが挙げられ、近頃ではオゾンや光触媒などを利用した技術も普及してきている。なお、薬液等を使用せず、中性な水を利用する方法として、気液接触により水に溶解させ、物理的に臭気ガスを吸収させる水洗法式が挙げられる。
【０００３】
【発明が解決しようとする課題】
消臭方式については、まず発生源の態様や臭気の性状に適した技術を選定すると同時に、管理技術のレベルや維持管理費用など考慮しなくてはならない。多くの技術をもってしても、それらの技術は一長一短であり、コストが低くなおかつ高い効果が得られる技術はないのが現状である。その他、廃液処理やスペースの課題などが挙げられる。
【０００４】
水洗式では装置が簡単であるので設備費が安く、さらに操作も簡単であるというメリットがある。しかしながら難溶性の臭気成分の閾値が低い場合などには適さないという大きな制限があり、また水溶性ガスといっても所要水量はかなり多く、さらに排水処理の課題が残っている。
【０００５】
本発明は、かかる従来の課題を解決するべく、少量噴霧するだけで多種類の臭気成分を効率的に除去する消臭機能水を提供する。導入設備や維持管理費用などに関しても低コストで取り組みやすい。また、装置及び操作は簡単であり、場所に応じた対策も容易に図ることができる。
【０００６】
【課題を解決するための手段】
遠赤外線等の微弱エネルギーの特性・作用を保持した一次機能水を、水に転写することで消臭機能水を製造し、それらを噴霧することによって上記課題を解決する手段とする。
【０００７】
第１工程として、一次機能水を製造する。原料液として珪素を始めとするミネラル含有液を準備する。ミネラルを含有する方法として、風化珊瑚礁を通過濾過させる方法が好ましい。その他、原料液に酸化チタンを加えることが好ましい。原料液に低周波をかけながら攪拌し、同時に紫外線乃至赤外線を照射することで一次機能水を製造する。
【０００８】
第２工程として、転写部材を製造し、一次機能水を水に転写することで消臭機能水を得る。なお、一次機能水を希釈するなどして使用しても良いが、転写部材を製造することで、場所を問わず、容易にかつ長期間に渡り消臭機能水を製造することや製造費用を抑えることが可能になる。転写部材はセラミック等の原料及び一次機能水、酸化チタン、珪素を混練焼成することで製造する。水に浸漬させることで消臭機能水を得た後、噴霧するなどの方法で解決する。
【０００９】
【発明の実施の形態】
（一次機能水）
始めにミネラル含有液を準備する。
【００１０】
特に、遠赤外線放射率を高めるという観点から、珪素を２重量％以上含有するものが好ましく、不足している場合には、珪素粉末を混入することで含有率を調整する。また、その他のミネラルとして、ナトリウム、カルシウム、カリウム、鉄、亜鉛の一種以上含有するものが好ましい。
【００１１】
ミネラルを含有させる方法としては、風化珊瑚礁抽出液を用いることが好ましい。なお、風化珊瑚礁の代わりに、トルマリン、麦飯石などの鉱物を用いても良い。
【００１２】
抽出液は、風化珊瑚礁を積層したカラム内に水を通過濾過して得られる。なお、より効果的一次機能水を得られるためには、抽出過程における液の滴下の速度を遅くし、カラム下部には１ｍｍ以下の粉末状、カラム中部には１〜２ｍｍ以下の粉砕状の風化珊瑚礁を重鎮せしめて濾過を行うことが好ましい。
【００１３】
カラムに装入する水としては、水道水、純水、超純水、電解水、本発明でいう一次機能水、消臭機能水、ミネラルウォーターその他の水を用いることができる。特にミネラルウォーターが好ましい。
【００１４】
抽出液に、抽出液に対し酸化チタン０．０１〜１．２０％（重量％）、珪素粉末０．０１〜０．７％（重量％）を混入し原料液とすることが好ましい。なお、好ましくは、酸化チタン０．５〜１．０％（重量％）、珪素粉末０．１〜０．５％（重量％）を混入する。
【００１５】
本発明では、低周波をかけながら上記原料液の攪拌を行う。周波数は好ましくは１００〜２００Ｈｚとし、より好ましくは１５０〜１８０Ｈｚとする。攪拌については好ましくは３０００〜２００００ｒｐｍで２〜１０時間とし、より好ましくは５〜８時間とする。なお、低周波をかけながら攪拌することによって、活性化された状態の安定化を図ることができると推定される。
【００１６】
更に上記と平行して原料液に４００ｎｍ以下の紫外線を照射する。照射時間としては、０．５〜８時間、好ましくは５〜７時間とする。紫外線を照射することによりクラスターの細分化を促進し、また２８０ｎｍ以下の紫外線を照射すれば原料液の殺菌も行える。
【００１７】
光触媒としては、酸化チタンが好ましい。酸化チタンはアナターゼ型の酸化チタン、すなわちペルオキソ酸と過酸化水素でペルオキソ修飾したアナターゼ微粉を含む液（ＴＰＸゾル）を用いることが望ましい。なお、ＴＰＸゾルとは酸化チタン０．８５ｗ％を含有する、ペルオキソチタン酸と二酸化チタンの混合水溶液である。かかる光触媒の存在のもとで４００ｎｍ以下の紫外線を照射すると水分子間を結合している酸素・水素の結合が切断され、水素結合を失ったＨ−Ｏ−Ｈが発生する。
【００１８】
紫外線照射に続き赤外線０．７７〜５００μｍ、好ましくは６〜１４μｍを２０〜４０分照射することが好ましい。遠赤外線を受けた原料液は、共鳴振動をおこし、分子運動が活性化される。
【００１９】
（消臭機能水）
本発明では、上記手段により得られた一次機能水の機能を被転写体となる水に転写することで消臭機能水を製造する。なお、一次機能水を希釈するなどして使用しても良いが、転写部材を製造することで、場所を問わず、容易にかつ長期間に渡り消臭機能水を製造することや製造費用を抑えることが可能になる。転写は例えば次のように行えば良い。
【００２０】
まず、転写媒体となる材料に一次機能水（あるいは希釈した一次機能水）及び酸化チタンを混練する。転写部材は、主に粘土質原料、石灰質原料などを使用するが、セラミックス全般（陶磁器、セメント、ガラス、人工的原料、高純度原料等）や金属製など幅広く用いることが可能である。
【００２１】
上記転写部材に混入する一次機能水の量については、転写部材体積の０．０１〜３０％（重量％）混入すればよい。配合比率については、遠赤外線放射波動水と酸化チタンを各１０〜９０％（体積％）対比で配合、適宜混入すればよい。好ましくは一次機能水３０〜７０％（体積％）、酸化チタン７０〜３０％（体積％）、より好ましくは遠赤外線放射波動水５０％（体積％）、酸化チタン５０％（体積％）が好ましい。なお、転写部材における遠赤外線放射波動水と酸化チタン配合比率、混入率でエネルギーの強弱が変わってくる。従って、転写に要する時間も変わってくる。
【００２２】
このように、酸化チタンを転写部材の原料に含有せしめておくことにより極めて有効に転写が行われる。
【００２３】
なお、上記転写部材に珪素粉末を混入すると遠赤外線放射率を高めるという観点からより一層好ましい。珪素粉末は高純度で粒度の小さいものが好ましく、混入率は転写部材に対して０．０１〜５％（重量％）が好ましい。珪素粉末の代わりに、非加熱状態で遠赤外線を放射するジルコン、ジルコニア、アルミナ等を混入しても良い。
【００２４】
上記転写部材材料を適宜成型後７００〜１４００℃で焼成する。
【００２５】
水に上記転写部材を浸漬させ適宜時間放置する。適宜時間放置することにより、水には、一次機能水の遠赤外線等の微弱エネルギーが転写される。なお、同じように転写容器を作製し、容器内に水を装入する方法で転写させてもよい。
【００２６】
被転写体となる水としては、例えば、水道水、純水、超純水、電解水、本発明でいう一次機能水、消臭機能水、ミネラルウォーターその他の水を用いることができる。特にミネラルウォーターが好ましい。
【００２７】
転写期間は、転写部材に含まれる一次機能水及び酸化チタンの配合率、混入率などで適宜定める。例えば水１０００ｌに対し、上記工程により得られた転写部材５００ｇを浸漬する場合、１時間以上放置する。
【００２８】
なお、転写する際にポンプ等を用いて水を循環させると、転写部材との接触が容易になることや水の活性を高めるという観点から転写効率が向上する。
【００２９】
上記消臭機能水を、臭気ガスまたは臭気ガス発生源に噴霧器等で噴霧することにより消臭することが好ましい。噴霧状にて散布することで、少量で広範囲の消臭を可能にし、廃水を抑えることが出来る。マイナスイオンの生成も増加し、少量で消臭効果を発揮することができる。
【００３０】
噴霧量については、臭気ガスの種類や濃度等により適宜決めるが、目安として臭気ガス発生源１ｍ２に対し１０ｍｌ以上とし、好ましくは５０〜１００ｍｌとする。
【００３１】
【作用】
風化珊瑚礁には、カルシウムを始めとする豊富なミネラルが含まれており、粉砕し、通水することでミネラルが溶出される。また、遠赤外線放射やマイナスイオンを多く生成する特質をもっている。
【００３２】
地球上で最も多く存在する成分は珪素であり、固形無機物、有機物の多くもＳｉＯ２に準ずる密度を持っていて、石英に類似の遠赤外線放射材質になるものが多く、さらに遷移元素酸化物が含まれると放射率の高い特性を示す。
【００３３】
抽出液に、紫外線、赤外線の電磁波を照射することにより、様々な異種分子の電子に振動を与え、励起状態にする。液体における異種分子による相互作用は、溶媒によって放出されるエネルギーが各イオン間の結合エネルギーと比べて同程度かそれ以上さえあれば、電子は励起された状態になり、エネルギーを放出しやすくなる。
【００３４】
水の水素結合の強さは８〜３０ｍｏｌに対しても、この酸化チタン（励起エネルギーは３ｅＶ）の光触媒作用が水素原子と酸素原子の相互間での電子の移動を生じさせ水素結合本来の電子状態が解消され、そのエネルギーが励起された状態になると思われる。また、原料液が活性化しており還元作用（蘇生作用）、イオン作用も活発になっている。
【００３５】
電磁波照射、攪拌等の各種方法の併用により、原料液の構造を変化せしめることで、クラスターの再結合を阻止することや遠赤外線等の微弱なエネルギーを転写することを可能にする。
【００３６】
一次機能水からは、常温においても遠赤外線が放射される（遠赤外線効果）。また、イオンが放出される（イオン放出効果）。さらに量子効果、構造変化に伴うその他の特性・作用を有していると考えられる。
【００３７】
水は外部からの電磁波（微弱エネルギー）の影響でその情報を固定し、その微弱エネルギーを他の物質に転写する特質が知られている。その性質を利用し、一次機能水を混練焼成した転写部材から、遠赤外線等の微弱エネルギーが被転写体となる水に転写される。
【００３８】
【実施例１】
風化珊瑚礁を積層したカラム内に水道水を通過濾過させ、抽出液を得た。
【００３９】
上記により得られた抽出液に、抽出液に対し酸化チタン０．３％を混入し原料液とした。
【００４０】
上記原料液を、低周波コイル１１で周波数１７０Ｈｚをかけながら、１１，４８０ｒｐｍ／ｍｉｎで８時間攪拌した。
【００４１】
上記作業と平行して、紫外線ランプ２８０ｎｍを７．５時間照射し、次いで赤外線ランプ（１０μｍ）を０．５時間照射して一次機能水を得た。
【００４２】
珪藻土３０００ｇと上記一次機能水１２５ｍｌ及び酸化チタン１２５ｍｌ、珪素粉末２．５ｇを混練。直径４ｃｍの球状に形成し１２００℃で焼成することで転写部材を製造した。
【００４３】
貯蔵タンクに上記転写部材６００重量ｇを設置し、水道水１０００ｌを装入後、１時間放置して消臭機能水を製造した。
【００４４】
豚舎内の貯留槽において、上記工程により得られた消臭機能水を約１ｍ２あたり１００ｍｌを噴霧した。
【００４５】
【発明の効果】
本発明は、以上説明したような形態で実施され、次のような効果を奏する。
【００４６】
栃木県那須町の養豚場で消臭効果試験を行った。貯留槽に噴霧器を使用して約１ｍ２あたり１００ｍｌを散布したところ下記結果となった。
【００４７】
なお、測定機器は新コスモス電機株式会社製ＸＰ‐３２９Ｎを使用した。
【表１】
2004130198.tif 000002
※ＯＬ　オーバーレベル
【００４８】
中性な水の、遠赤外線やマイナスイオン、構造変化に伴う作用等で多種類の臭気ガスを除去するので、環境負荷がかからない。よって、どのような環境にも適応可能である。
【００４９】
転写部材と水のみで容易にかつ長期間に渡って製造でき、場所に応じた対策も図ることができる。
【００５０】
導入費用及び製造費用が低価格である。また、従来使用している貯水タンク等を使用すればさらに費用削減も可能である。
【００５１】
消臭機能水を噴霧すれば、少量で広範囲の消臭を可能にし、廃水を抑えることが出来る。マイナスイオンの生成も増加し、少量で高い効果を発揮することができる。